(57)【要約】【課題】膜−電極構造体の電極に対して確実に十分な電力を供給できる電解水生成装置の電解槽を提供する。【解決手段】イオン透過性の隔膜２を介して対向配置された１対の電解室３，４と、電解室３，４に原水を供給する原水供給手段５，６と、隔膜２を挟んで電解室３，４に設けられた１対の電極１４ａ，１４ｂと、電解により得られた電解水を電解室３，４から取り出す電解水取出手段７，８とを備える。電極１４ａ，１４ｂが隔膜１３の両表面に密着して形成された膜−電極構造体２と、電極１４ａ，１４ｂに対向配置された網目状集電体９，１０と、電解室３，４の内壁に設けられ、集電体９，１０を該電極１４ａ，１４ｂに圧接する複数の突出部１１，１２とを備える。電解室３，４は、互いに対向する位置に突出部１１，１２を備える。集電体９，１０は、耐腐食性導電材料からなる。電極１４ａ，１４ｂは、導電性粉体を含む多孔質体からなる。【選択図】  図１
2006150151.tif 000002
【特許請求の範囲】
【請求項１】
イオン透過性の隔膜を介して対向配置された１対の電解室と、各電解室に原水を供給する原水供給手段と、該隔膜を挟んで各電解室に設けられた１対の電極と、両電極に電圧を印加して該原水供給手段により各電解室に供給された原水を電解することにより得られた電解水を各電解室から取り出す電解水取出手段とを備える電解水生成装置の電解槽において、
各電極が該隔膜の両表面に密着して形成された膜−電極構造体と、該膜−電極構造体の各電極に対向配置された網目状集電体と、各電解室の内壁に設けられ、該網目状集電体を該電極方向に押圧して、該電極に圧接する複数の突出部とを備えることを特徴とする電解水生成装置の電解槽。
【請求項２】
前記各電解室は、前記膜−電極構造体の両側の互いに対向する位置に前記突出部を備えることを特徴とする請求項１記載の電解水生成装置の電解槽。
【請求項３】
前記集電体は、耐腐食性導電材料からなることを特徴とする請求項１または請求項２記載の電解水生成装置の電解槽。
【請求項４】
前記電極は、導電性粉体を含む多孔質体からなることを特徴とする請求項１乃至請求項３のいずれか１項記載の電解水生成装置の電解槽。
【発明の詳細な説明】
【技術分野】
【０００１】
本発明は、イオン透過性の隔膜を介して対向配置された１対の電解室に供給される原水を、該隔膜を挟んで各電解室に設けられた１対の電極に電圧を印加して電解することにより、酸性及びアルカリ性の電解水を生成させる電解水生成装置の電解槽に関するものである。
【背景技術】
【０００２】
イオン透過性の隔膜を介して対向配置された１対の電解室と、該隔膜を挟んで各電解室に設けられた１対の電極とを備える電解槽を用いて電解水を生成させる電解水生成装置が知られている。前記電解水生成装置では、前記各電解室に電解質を含む原水を供給し、前記１対の電極に電圧を印加して該原水を電解することにより、陽極側の電解室に酸性の電解水、陰極側の電解室にアルカリ性の電解水を生成させることができる。
【０００３】
前記電解水生成装置の電解槽では、通常、前記電極は前記隔膜から離間して設けられている。ところが、前記構成では、前記隔膜を挟んで配設される両電極の間隔が広いために電極間の電気抵抗が大きく、印加される電力に対する電解効率が低いという問題がある。
【０００４】
前記問題を解決するために、例えば、平織金網からなる多孔質電極素材とパンチドメタルとを重ね合わせた電極を隔膜に当接させることにより両電極の間隔を狭めると共に、該多孔質電極素材の内部に原水を流通させることにより該原水と電極との接触面積を大きくした電解槽が提案されている（例えば特許文献１参照）。前記電解槽によれば、印加される電力に対する電解効率はある程度向上させることができるが、前記原水は前記多孔質電極素材の内部に流通されるために流通抵抗が大きく、単位時間当たりの電解水の生成量を多くしようとすると装置の大型化が避けられない。
【０００５】
そこで、本発明者らは、前記１対の電極がイオン透過性の隔膜の両表面に密着して形成されており、前記電極自体がイオン透過性を備える膜−電極構造体を用いた電解槽を提案している（特願２００３−３８１７４１、特願２００３−３８１７４２参照）。前記膜−電極構造体によれば、両電極間には前記隔膜が介在するだけであるので、印加される電力に対する電解効率を高くすることができ、しかも装置を小型化することができる。
【０００６】
しかしながら、前記膜−電極構造体では、前記電極にリード線を接続しにくく、該リード線を介して電力を供給することが難しい。前記リード線に代えて、前記電極の表面に集電体を当接することも考えられるが、該電極が微細な細孔を備える多孔質体、所謂マイクロポーラス状であるときには、該電極の表面抵抗が大きくなるため、該集電体から該電極に十分な電力を供給しにくく、さらに改良が望まれる。
【特許文献１】特開２００１−７３１７７号公報
【発明の開示】
【発明が解決しようとする課題】
【０００７】
本発明は、かかる不都合を解消して、膜−電極構造体の電極に対して確実に十分な電力を供給することができる電解水生成装置の電解槽を提供することを目的とする。
【課題を解決するための手段】
【０００８】
かかる目的を達成するために、本発明は、イオン透過性の隔膜を介して対向配置された１対の電解室と、各電解室に原水を供給する原水供給手段と、該隔膜を挟んで各電解室に設けられた１対の電極と、両電極に電圧を印加して該原水供給手段により各電解室に供給された原水を電解することにより得られた電解水を各電解室から取り出す電解水取出手段とを備える電解水生成装置の電解槽において、各電極が該隔膜の両表面に密着して形成された膜−電極構造体と、該膜−電極構造体の各電極に対向配置された網目状集電体と、各電解室の内壁に設けられ、該網目状集電体を該電極方向に押圧して、該電極に圧接する複数の突出部とを備えることを特徴とする。
【０００９】
本発明の電解槽では、前記集電体を各電極に当接することにより、該集電体から各電極に電力が供給される。前記集電体は網目状であることにより原水を透過させて前記電極に接触させることができるので、前記電解の障害となることがない。
【００１０】
このとき、本発明の電解槽では、前記電解室の内壁に設けられた前記複数の突出部が、前記網目状集電体を前記電極方向に押圧して、該電極に圧接する。従って、本発明の電解槽によれば、膜−電極構造体の電極に対する前記網目状集電体の接触面積が大きくなり、該電極に対して電力が均一に供給されるので、該集電体から該電極に確実に十分な電力を供給することができる。
【００１１】
また、前記電解室の内壁に設けられた前記突出部は、該電解室内に流路を形成したり、あるいは流路中に島状に形成することにより、電解水中のイオンを拡散する効果を向上させることができる。
【００１２】
また、本発明の電解槽において、前記各電解室は、前記膜−電極構造体の両側の互いに対向する位置に前記突出部を備えることを特徴とする。前記突出部が、前記膜−電極構造体の両側の互いに対向する位置に備えられていることにより、前記集電体は一方の側だけに局部的な圧力が加わることを避けることができ、両側から均等な圧力で押圧されて、該膜−電極構造体に確実に圧接される。従って、前記集電体から前記電極に、さらに確実に電力を供給することができる。
【００１３】
また、本発明の電解槽において、前記集電体は、耐腐食性導電材料からなることを特徴とする。前記耐腐食性導電材料としては、例えばチタン等を挙げることができる。前記集電体は、耐腐食性導電材料からなることにより、該集電体自体の長寿命化を図ることができると共に、該集電体の劣化に伴う電圧上昇等の電解に対する悪影響を避けることができる。
【００１４】
さらに、本発明の電解槽において、前記電極は、導電性粉体を含む多孔質体からなることを特徴とする。前記電極は前記多孔質体であることにより、前記隔膜の表面全体を被覆した場合にも前記原水を透過させて該隔膜に接触させることができるので、該隔膜の機能を阻害することなく、十分なイオン交換能を得ることができる。
【００１５】
また、前記電極は前記多孔質体であることにより、前記原水との接触面積が大きくなり、電解効率を向上させることができる。
【発明を実施するための最良の形態】
【００１６】
次に、添付の図面を参照しながら本発明の実施の形態についてさらに詳しく説明する。図１は本実施形態の電解槽の構成を示す説明的断面図、図２は図１の要部拡大図、図３は図１に示す膜−電極構造体の側から見た電解室の平面図である。
【００１７】
本実施形態の電解槽１は電解水生成装置に用いられるものであり、図１に示すように、膜−電極構造体２を介して対向配置された電解室３，４と、各電解室３，４に原水を供給する原水供給口５，６と、各電解室３，４から電解水を取り出す電解水取出口７，８と、膜−電極構造体２の表面に対して対向配置された集電体９，１０と、各電解室３，４の内壁に形成された突出部１１，１２とを備えている。原水供給口５，６は図示しない原水タンク等の原水供給手段に接続されており、電解水取出口７，８は図示しない貯水タンク等に接続されている。
【００１８】
ここで、膜−電極構造体２は、図２に示すように、陰イオン交換膜１３の両表面に膜状の電極１４ａ，１４ｂが形成されている。陰イオン交換膜１３としては、例えば、旭化成工業株式会社製アシプレックス（登録商標）、旭硝子株式会社製セレミオン（登録商標）等の炭化水素系ポリマーからなる陰イオン交換膜あるいは旭硝子株式会社製フレミオン（登録商標）等のフッ素系陰イオン交換膜を用いることができる。また、電極１４ａ，１４ｂは、カーボンブラック等の導電性粉体に、白金、イリジウム等の金属粉末を例えば前記導電体粉末に対して５重量％の割合で混合し、さらにポリビニルアルコールを水とアルコールとの混合液に溶解した混合物を加えたペースト状体を、陰イオン交換膜１３の両表面に所定の形状に塗布し、加熱、加圧することにより、陰イオン交換膜１３に密着し、陰イオン交換膜１３と一体に形成されている。電極１４ａ，１４ｂは、前記導電性粉体、金属粉末から形成されるので、直径数μｍの細孔を備える多孔質体、所謂マイクロポーラス状体となっている。尚、前記ペースト状体において、ポリビニルアルコールは結着剤として使用される。
【００１９】
膜−電極構造体２では、陰イオン交換膜１３は５０〜２００μｍの膜厚を備えている。また、電極１４ａ，１４ｂは、前述の方法により乾燥膜厚が３０〜２００μｍとなるように形成されている。
【００２０】
図１に示す集電体９，１０は、前述のように膜−電極構造体２に対向配置されているが、膜−電極構造体２は陰イオン交換膜１３の両表面に膜状の電極１４ａ，１４ｂが形成された構成を備えている。従って、集電体９，１０は、それぞれ電極１４ａ，１４ｂに対向配置されていることに他ならない。集電体９，１０は、チタン等の耐腐食性導電材料により網目状に形成された、例えばチタンメッシュからなり、電解室３，４に供給された原水を透過させて該原水が電極１４ａ，１４ｂに接触できるようにされている。
【００２１】
前記突出部１１，１２は平坦な先端部を備え、それぞれ該先端部で集電体９，１０に当接している。また、突出部１１，１２は、各電解室３，４にそれぞれ複数設けられており、膜−電極構造体２の両側に互いに対向する位置に備えられている。
【００２２】
電解槽１において、各電解室３，４は、スペーサ１５、パッキン１６を介して膜−電極構造体２に圧接されており、この結果、各電解室３，４に設けられた突出部１１，１２が、集電体９，１０をそれぞれ電極１４ａ，１４ｂ方向に押圧し、電極１４ａ，１４ｂに圧接している。尚、各集電体９，１０は、電解室３，４の外壁を貫通して設けられたターミナル１７，１８に接続されており、ターミナル１７，１８は図示しない電源装置に接続されて、集電体９，１０に電力を供給できるようになっている。
【００２３】
本実施形態の電解槽１では、例えば電極１４ａを陽極、電極１４ｂを陰極とする場合、原水供給口５を介して電解室３にほとんど電解質を含まない水を原水として供給し、原水供給口６を介して電解室４に電解質を含む原水として食塩水（塩化ナトリウム水溶液）を供給しながら、集電体９，１０を介して電極１４ａ，１４ｂに通電する。この結果、電解室３には次亜塩素酸を含む酸性電解水が得られ、該酸性電解水は電解水取出口７を介して取り出される。一方、電解室４にはアルカリ性電解水が得られ、該アルカリ性電解水は電解水取出口８を介して取り出される。
【００２４】
このとき、電極１４ａ，１４ｂは、陰イオン交換膜１３の両表面に密着して陰イオン交換膜１３と一体に形成されており両電極間の間隔が非常に狭いので、電極間抵抗が小さく、低電圧で効率よく電解を行うことができる。
【００２５】
また、集電体９，１０は、各電解室３，４の内壁に設けられた突出部１１，１２により電極１４ａ，１４ｂに圧着されている。従って、前記チタンメッシュからなる集電体９，１０の、電極１４ａ，１４ｂに対する接触面積が大きくなり、電極１４ａ，１４ｂに対して電力が均一に供給されることとなり、集電体９，１０から電極１４ａ，１４ｂに確実に十分な電力を供給することができる。
【００２６】
尚、本実施形態の電解槽１において、突出部１１，１２は、膜−電極構造体２の両側に互いに対向する位置に設けられているが、突出部１１，１２は、それぞれ集電体９，１０を電極１４ａ，１４ｂに圧着することができればよく、必ずしも対向する位置に設けられていなくてもよい。
【００２７】
また、本実施形態の電解槽１において、突出部１１，１２は、図３に突出部１１を例として示すように、電解室３の長さ方向に沿って平行に複数設けられ、突出部１１，１１間に流路１９を形成しているが、図３に仮想線１１１で示すように流路１９の中に島状に設けられていてもよい。電解室３は、外周部に設けられたボルト孔２０に挿通されるボルトと該ボルトに螺着されるナットとにより、電解室４と共にスペーサ１５、パッキン１６を介して膜−電極構造体２に圧接される。
【００２８】
また、本実施形態の電解槽１においては、イオン透過性の隔膜として陰イオン交換膜１３を使用しているが、これに代えて陽イオン交換膜を使用しても同様に実施することができる。
【００２９】
本実施形態の電解槽１は、電極１４ａ，１４ｂに電力を供給する電源装置や前記原水供給手段等の作動を制御する制御装置等の周辺装置を備えることにより、電解水生成装置を構成することができる。
【図面の簡単な説明】
【００３０】
【図１】本発明の電解槽の一実施形態を示す説明的断面図。
【図２】図１の要部拡大図。
【図３】図１に示す膜−電極構造体の側から見た電解室の平面図。
【符号の説明】
【００３１】
１…電解槽、  ２…膜−電極構造体、  ３，４…電解室、  ５，６…原水供給手段、  ７，８…電解水取出手段、  ９，１０…集電体、  １１，１２…突出部、  １３…隔膜、  １４ａ，１４ｂ…電極。
【図１】
2006150151.tif 000003
【図２】
2006150151.tif 000004
【図３】
2006150151.tif 000005